(57)【特許請求の範囲】
【請求項１】
対物側に配置されたレンズの光路から退避した位置に設けられた回動軸を中心として前記光路を横切る方向に回動可能に設けられ、回動することによって前記光路を開く位置または前記光路を閉じる位置に変位するバリア羽根を備えたバリア機構であって、
前記回動軸に設けられて外周面に前記回動軸を中心とする螺旋をなすネジ山と、
前記バリア羽根に設けられて内周面に前記ネジ山と螺合するネジ山を備えた孔と、
を備え、
前記バリア羽根は、前記ネジ山どうしの螺合により前記回動軸に連結され、回動にともなって、前記閉じる位置では光軸方向における対物側から前記レンズを覆い、前記開く位置では前記光軸方向における前記閉じる位置よりも像面側に退避するように前記ネジ山どうしの螺合状態を変化させることを特徴とするバリア機構。
【請求項２】
前記バリア羽根は、前記開く位置では前記光軸方向における前記レンズの前記対物側の端面よりも像面側に退避するようにしたことを特徴とする請求項１に記載のバリア機構。
【請求項３】
前記光路を開放する開口を有する環形状からなり、前記光軸方向における前記対物側から前記回動軸に対向する前板を備え、
前記バリア羽根は、前記開く位置では前記光軸方向における前記前板よりも像面側に退避することを特徴とする請求項１または２に記載のバリア機構。
【請求項４】
開口部を有する環形状からなるベース部材と、対物側に配置されたレンズの光路から退避した位置に設けられた回動軸を中心として前記光路を横切る方向に回動可能に設けられ、回動することによって前記ベース部材と重なって前記光路を開く位置または前記開口部を塞いで前記光路を閉じる位置に変位する複数のバリア羽根と、を備えたバリア機構を有する略円筒形状のレンズ鏡筒であって、
前記バリア羽根に設けられて前記回動軸に係合する基部を備え、
前記バリア羽根は、前記基部が前記回動軸に連結され、回動にともなって、光軸方向において前記レンズに対して相対的に変位するように前記基部を移動させることによって、前記光路を閉じる位置では前記光軸方向における対物側から前記レンズを覆い、前記光路を開く位置では前記光軸方向における前記レンズの前記対物側の端面よりも像面側に退避するように構成したことを特徴とするレンズ鏡筒。
【請求項５】
前記光路を開く位置では、前記バリア羽根の対物側に配置され、前記光路を閉じる位置では、光軸と略直交する方向において、前記バリア羽根の少なくとも一部が重なるように配置されたバリアカバー部材を備えたことを特徴とする請求項４に記載のレンズ鏡筒。
【請求項６】
光軸方向に移動可能に設けられた対物レンズを備え、当該対物レンズを移動することによって光路長の変更が可能なレンズ装置であって、
前記対物レンズの光路から退避した位置に設けられた回動軸を中心として前記光路を横切る方向に回動可能に設けられ、回動することによって前記光路を開く位置または前記光路を閉じる位置に変位するバリア羽根と、
前記光路から退避した位置で前記バリア羽根に連結され、前記対物レンズの移動にともなって前記光軸を中心として回転することによって前記バリア羽根を回動させる回転環と、
前記回動軸に設けられて外周面に前記回動軸を中心とする螺旋をなすネジ山と、
前記バリア羽根に設けられて内周面に前記ネジ山と螺合するネジ山を備えた孔と、
を備え、
前記バリア羽根は、前記ネジ山どうしの螺合により前記回動軸に連結され、回動にともなって、前記閉じる位置では前記光軸方向における対物側から前記レンズを覆い、前記開く位置では前記光軸方向における前記レンズの前記対物側の端面よりも接眼側に退避するように前記ネジ山どうしの螺合状態を変化させることを特徴とするレンズ装置。
【請求項７】
撮像素子と、
前記撮像素子に外光を入射させる光路を形成する請求項６に記載のレンズ装置と、
を備えたことを特徴とする撮像装置。
【発明の詳細な説明】
【技術分野】
【０００１】
この発明は、非撮像時におけるカメラの対物レンズを覆うことで、外部からの衝撃や汚損などから対物レンズを保護するバリア機構、レンズ装置および撮像装置に関する。
【背景技術】
【０００２】
光軸上に配置されたレンズなどの光学部材を備えたレンズ装置には、たとえば光路を横切る方向に変位可能に設けられたバリア羽根を備え、光路を開く位置または光路を閉じる位置にバリア羽根を変位させるバリア機構を備えたものがあった。このようなレンズ装置において、バリア機構は、鏡筒における対物側の端部に設けられている。
【０００３】
従来、閉じる位置（バリアー閉状態時）ではもっとも対物側に配置されたレンズよりも対物側に位置し、開く位置（バリアー開状態時）では対物側に配置されたレンズよりも接眼側に位置するように移動するバリア羽根を備えたバリア機構があった（たとえば、下記特許文献１を参照。）。
【０００４】
また、従来、レンズ鏡筒本体の軸心上の点を中心とする部分球殻状で上下に２分割されたバリア部を、中心を通り軸心と直交する軸の回りに回動させることによってレンズの対物側を開閉するようにしたバリア付きレンズ鏡筒があった（たとえば、下記特許文献２を参照。）。
【０００５】
【特許文献１】特開平７−２２５４０９号公報
【特許文献２】特開２００２−２５８１３３号公報
【発明の開示】
【発明が解決しようとする課題】
【０００６】
しかしながら、上述した特許文献１の技術では、開く位置（バリアー開状態時）においてバリア羽根が光軸方向においてレンズよりも接眼側に位置するように移動するが、鏡筒の対物側の端部の位置は固定であるために光軸方向における寸法を小さくすることができず、光学装置の小型化を図りきれていないという問題があった。
【０００７】
また、上述した特許文献２の技術においては、バリア羽根をラジアル方向にのみ動かす構造とは異なり、バリア羽根をラジアル方向に変位させるとともにスラスト方向に変位させるための構造が必要であるため装置が大型化する傾向にあり、小型化を図ることができないという問題があった。
【０００８】
上述した特許文献２の技術においては、具体的には、たとえば、光軸に直交する方向を軸心方向とする軸を支持する構造を光路から退避した位置に設けるとともに、バリア羽根がラジアル方向およびスラスト方向に円弧を描くように変位するための空間を確保しなくてはならず、小型化を図ることができないという問題があった。
【０００９】
この発明は、上述した従来技術による問題点を解消するため、大型化することなくレンズ装置における広角化を図ることができるバリア機構、レンズ装置および撮像装置を提供することを目的とする。
【課題を解決するための手段】
【００１０】
上述した課題を解決し、目的を達成するため、この発明にかかるバリア機構は、対物側に配置されたレンズの光路から退避した位置に設けられた回動軸を中心として前記光路を横切る方向に回動可能に設けられ、回動することによって前記光路を開く位置または前記光路を閉じる位置に変位するバリア羽根を備えたバリア機構であって、前記回動軸に設けられて外周面に前記回動軸を中心とする螺旋をなすネジ山と、前記バリア羽根に設けられて内周面に前記ネジ山と螺合するネジ山を備えた孔と、を備え、前記バリア羽根は、前記ネジ山どうしの螺合により前記回動軸に連結され、回動にともなって、前記閉じる位置では光軸方向における対物側から前記レンズを覆い、前記開く位置では前記光軸方向における前記閉じる位置よりも像面側に退避するように前記ネジ山どうしの螺合状態を変化させることを特徴とする。この発明によれば、レンズに対する外光の入射角を広くすることができる。
【００１１】
また、この発明にかかるバリア機構は、上記の発明において、前記バリア羽根が、前記開く位置では前記光軸方向における前記レンズの前記対物側の端面よりも像面側に退避するようにしたことを特徴とする。この発明によれば、レンズに対する外光の入射角を確実に広くすることができる。
【００１２】
また、この発明にかかるバリア機構は、上記の発明において、前記光路を開放する開口を有する環形状からなり、前記光軸方向における前記対物側から前記回動軸に対向する前板を備え、前記バリア羽根は、前記開く位置では前記光軸方向における前記前板よりも像面側に退避することを特徴とする。この発明によれば、バリア羽根の脱離を防止するとともに、光軸方向における前板の位置を、閉じる位置でのバリア羽根の位置と同等とすることができる。
【００１３】
また、この発明にかかるレンズ鏡筒は、開口部を有する環形状からなるベース部材と、対物側に配置されたレンズの光路から退避した位置に設けられた回動軸を中心として前記光路を横切る方向に回動可能に設けられ、回動することによって前記ベース部材と重なって前記光路を開く位置または前記開口部を塞いで前記光路を閉じる位置に変位する複数のバリア羽根と、を備えたバリア機構を有する略円筒形状のレンズ鏡筒であって、前記バリア羽根に設けられて前記回動軸に係合する基部を備え、前記バリア羽根は、前記基部が前記回動軸に連結され、回動にともなって、光軸方向において前記レンズに対して相対的に変位するように前記基部を移動させることによって、前記光路を閉じる位置では前記光軸方向における対物側から前記レンズを覆い、前記光路を開く位置では前記光軸方向における前記レンズの前記対物側の端面よりも像面側に退避するように構成したことを特徴とする。この発明によれば、光路長を変更することなくレンズに対する外光の入射角を広くすることができる。
【００１４】
また、この発明にかかるレンズ鏡筒は、上記の発明において、前記光路を開く位置では、前記バリア羽根の対物側に配置され、前記光路を閉じる位置では、光軸と略直交する方向において、前記バリア羽根の少なくとも一部が重なるように配置されたバリアカバー部材を備えたことを特徴とする。
【００１５】
また、この発明にかかるレンズ装置は、光軸方向に移動可能に設けられた対物レンズを備え、当該対物レンズを移動することによって光路長の変更が可能なレンズ装置であって、前記対物レンズの光路から退避した位置に設けられた回動軸を中心として前記光路を横切る方向に回動可能に設けられ、回動することによって前記光路を開く位置または前記光路を閉じる位置に変位するバリア羽根と、前記光路から退避した位置で前記バリア羽根に連結され、前記対物レンズの移動にともなって前記光軸を中心として回転することによって前記バリア羽根を回動させる回転環と、前記回動軸に設けられて外周面に前記回動軸を中心とする螺旋をなすネジ山と、前記バリア羽根に設けられて内周面に前記ネジ山と螺合するネジ山を備えた孔と、を備え、前記バリア羽根は、前記ネジ山どうしの螺合により前記回動軸に連結され、回動にともなって、前記閉じる位置では前記光軸方向における対物側から前記レンズを覆い、前記開く位置では前記光軸方向における前記レンズの前記対物側の端面よりも接眼側に退避するように前記ネジ山どうしの螺合状態を変化させることを特徴とする。
【００１６】
この発明によれば、バリア羽根が開く位置にあるときにレンズに対する外光の入射角を広くすることができ、レンズ装置の光路長を長くすることなくレンズ装置の広角化を図ることができる。
【００１７】
また、この発明にかかる撮像装置は、撮像素子と、前記撮像素子に外光を入射させる光路を形成する上記のレンズ装置と、を備えたことを特徴とする。この発明によれば、大型化することなく広角化を図ったレンズ装置を備えた撮像装置を提供することができる。
【発明の効果】
【００１８】
本発明にかかるバリア機構、レンズ装置および撮像装置によれば、バリア羽根の支持および回動にかかるレンズに対する外光の入射角を広くすることができるという効果を奏する。これによって、レンズを広角化することができる。
【発明を実施するための最良の形態】
【００１９】
以下に添付図面を参照して、この発明にかかるバリア機構、レンズ装置および撮像装置の好適な実施の形態を詳細に説明する。
【００２０】
まず、この発明にかかる実施の形態のバリア機構、レンズ装置および撮像装置について説明する。図１、図２、図３、図４および図５は、この発明にかかる実施の形態のバリア機構を示す説明図である。図１、図２、図３、図４および図５においては、この発明にかかる実施の形態のバリア機構および当該バリア機構を備えたレンズ装置におけるバリア機構の周辺が示されている。
【００２１】
図１においては開き状態にあるバリア機構を対物側から見た状態を示し、図２においては閉じ状態にあるバリア機構を対物側から見た状態を示している。図３においては、閉じ状態にあるバリア機構を接眼（像面）側から見た状態を示している。図４および図５は、バリア機構を備えたレンズ装置を光軸を通る平面で切断した断面を示している。
【００２２】
図４および図５においては、バリア機構およびバリア機構の近傍における断面を、当該断面に直交し光軸を通る平面で切断した断面を示している。図４においては開き状態にあるバリア機構およびバリア機構の近傍における断面を示し、図５においては閉じ状態にあるバリア機構およびバリア機構の近傍における断面を示している。
【００２３】
図１、図２、図３、図４および図５において、この発明にかかる実施の形態のバリア機構１００は、レンズ装置が備える鏡筒４００に設けられる。鏡筒４００は、複数の円筒形状部材を光軸を中心として重ね合わせることによって構成されている。鏡筒４００における複数の円筒形状部材は、光軸方向に相対的に変位可能に設けられている。レンズ装置においては、複数の円筒形状部材を光軸方向に相対的に変位させることによって、光路長を変更することが可能である。
【００２４】
レンズ装置は、たとえば電源ＯＮ時に光路長が伸長し、電源ＯＦＦ時に光路長が最短となるように収縮することによって、光路長を変更することが可能とされている。この実施の形態のレンズ装置およびバリア機構１００は、電源ＯＮ時に図４に示した撮像状態となり、電源ＯＦＦ時に図５に示した非撮像状態をとる。
【００２５】
鏡筒４００内には、１または複数のレンズが設けられており、各レンズ間の距離は撮像状態と非撮像状態とで異なる。また、各レンズ間の距離は、撮像対象までの距離などに応じて適宜調整可能としてもよい。このようなレンズ装置としては、具体的には、たとえばズームレンズ装置やバリフォーカルレンズ装置などが挙げられる。ズームレンズ装置およびバリフォーカルレンズ装置については、公知の各種の技術を用いて容易に実現可能であるため説明を省略する。
【００２６】
この発明のバリア機構１００を備えたレンズ装置は、図示を省略する撮像素子を備えた撮像装置に適用することが可能である。撮像素子としては、たとえばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔ  Ｍｅｔａｌ  Ｏｘｉｄｅ  Ｓｅｍｉｃｏｎｄｕｃｔｏｒ）などを用いることが可能である。このような撮像装置は、この発明のバリア機構１００を備えたレンズ装置（ズームレンズ装置）によって、撮像素子に外光を入射させる光路を形成する。撮像装置については公知の各種の技術を用いて容易に実現可能であるため説明を省略する。
【００２７】
レンズ装置が備える鏡筒４００における複数の円筒形状部材のうち、もっとも対物側まで変位する円筒形状部材４０１の内周側には、レンズ（以下、「対物レンズ」という）４０２が設けられている。対物レンズ４０２は、レンズ保持枠４０３を介して円筒形状部材４０１の光軸方向における対物側の端部に設けられている。レンズ保持枠４０３は、円筒形状部材４０１に対する位置が固定されている。また、レンズ保持枠４０３は、駆動レバーの変位位置を案内するスリットを備えている。スリットは、光軸を中心とする円弧をなす。
【００２８】
この発明にかかる実施の形態のバリア機構１００は、円筒形状部材４０１に設けられている。バリア機構１００は、２枚のバリア羽根１０１を備えている。２枚のバリア羽根１０１は、それぞれ駆動レバー３０１を備えている。駆動レバー３０１は、バリア羽根１０１の接眼側に設けられており、各バリア羽根１０１から光軸に平行に突出している。駆動レバー３０１は、光路から退避した位置に設けられている。
【００２９】
バリア羽根１０１は、回動軸１０２を中心として光路（光軸）を横切る方向に回動可能とされている。回動軸１０２は、対物レンズ４０２を含むレンズ装置の光路から退避した位置に設けられている。バリア羽根１０１は、回動軸１０２を中心として回動することによって、光路を開く位置（以下、「開き位置」という）または光路を閉じる位置（以下、「閉じ位置」という）に変位する。
【００３０】
バリア羽根１０１は、レンズ装置の状態に応じて、開き位置または閉じ位置のいずれか一方に選択的に位置付けられる。この実施の形態においては、バリア羽根１０１は、電源ＯＮによってレンズ装置が撮像状態にある場合に開き位置に位置付けられ、電源ＯＦＦによってレンズ装置が非撮像状態にある場合に閉じ位置に位置付けられる。
【００３１】
回動軸１０２は、ベース板１０３に設けられている。回動軸１０２は、ベース板１０３の対物側に設けられており、ベース板１０３から光軸に平行に突出している。これにより、バリア羽根１０１は、ベース板１０３の対物側において回動軸１０２を中心として回動することとなる。ベース板１０３は、鏡筒４００に対する位置が固定されている。このため、回動軸１０２の位置は、鏡筒４００に対して固定されている。
【００３２】
ベース板１０３は、レンズ装置における光路を開放する開口１０４を有する環形状からなる。開口１０４は、バリア機構１００が開き状態にある場合にレンズを外部に開放し、レンズ装置の正面側に対するレンズの有効光路を確保する。また、ベース板１０３は、ベース板１０３を光軸方向に貫通する切り欠き部１０５を備えている。切り欠き部１０５の内側には、駆動レバー３０１が位置付けられる。切り欠き部１０５は、駆動レバー３０１の変位範囲を規定する。
【００３３】
駆動レバー３０１は、バリア羽根１０１に設けられており、バリア羽根１０１から光軸に平行に突出している。駆動レバー３０１は、光路から退避した位置に設けられており、この実施の形態においては回動軸１０２を間にして光軸とは反対側に設けられている。駆動レバー３０１は、ベース板１０３に設けられたスリット、レンズ保持枠４０３に設けられたスリットを貫通して回転環に連結されている。
【００３４】
光軸方向においてベース板１０３よりも対物側には、前板１０６が設けられている。前板１０６は、光軸を中心とする環形状からなり、バリア羽根１０１よりも対物側に設けられて回動軸１０２を対物側から覆っている。回動軸１０２の先端と前板１０６との光軸方向における距離は、バリア羽根１０１の光軸方向における寸法（バリア羽根１０１の板厚）よりも小さい。前板１０６によって、バリア羽根１０１の回動軸１０２からの脱落を防止することができる。前板１０６は、固定環４０４によって鏡筒４００に固定されている。
【００３５】
ベース板１０３の接眼側には、回転環３０２が設けられている。回転環３０２は、光軸を中心として回転可能に設けられている。回転環３０２は、キャンセル用バネ３０３によって連結された２枚の回転部材３０４によって構成されている。キャンセル用バネ３０３は、２枚の回転部材３０４に設けられた係止部３０４ａにそれぞれ係止されることによって、２枚の回転部材３０４を連結している。
【００３６】
回転環３０２は、２枚の回転部材３０４によって上述した駆動レバー３０１を狭持している。これにより、駆動レバー３０１は、回転環３０２の回転にともなって光軸を中心として回転する。そして、これによって、２枚のバリア羽根１０１は、回転環３０２の回転にともなって光軸を中心として回転する。
【００３７】
回転環３０２は、駆動力伝達片３０５を備えている。駆動力伝達片３０５は、２枚の回転部材３０４の接眼側にそれぞれ設けられており、回転環３０２の接眼側から光軸に平行に突出している。駆動力伝達片３０５は、回転環３０２よりも接眼側に設けられた回転筒４０５に係合する。
【００３８】
回転筒４０５は、鏡筒４００における複数の円筒形状部材の一部をなし、光軸を中心として回転可能に設けられている。また、回転筒４０５は、駆動力伝達片３０５と係合するように切り欠かれた被係合部４０５ａを備えている。回転筒４０５は、図示を省略するモータなどの回転駆動力が伝達されることによって回転する。
【００３９】
動力伝達片と回転筒４０５とは、鏡筒４００および複数の鏡筒４００が非撮像位置に位置付けられている場合に係合する。すなわち、２枚のバリア羽根１０１の開閉は、鏡筒４００および複数の鏡筒４００が非撮像位置に位置付けられている場合におこなうことが可能になる。
【００４０】
ベース板１０３の接眼側には、２つの開閉用バネ３０６が設けられている。２つの開閉用バネ３０６の一端は、ベース板１０３の背面に設けられた２つの突起３０７のうち該当する突起３０７にそれぞれ係合している。２つの開閉用バネ３０６の他端は、２枚の回転部材３０４に設けられた爪部３０８のうち該当する爪部３０８にそれぞれ係合している。
【００４１】
２つの開閉用バネ３０６は、それぞれに係合された回転部材３０４を開き位置に位置付ける方向に付勢する。２つの開閉用バネ３０６は、２枚の回転部材３０４が開き位置側から閉じ位置側に回転する際に伸長し、それぞれに係合された回転部材３０４を開き位置に位置付ける方向に付勢する。図３においては、２つの開閉用バネ３０６が伸長した状態を示している。これによって、バリア羽根１０１は、開き位置に位置付けられるように付勢される。
【００４２】
つぎに、バリア羽根１０１と回動軸１０２との連結構造について説明する。図６および図７は、バリア羽根１０１と回動軸１０２との連結構造を示す説明図である。図６においては、回動軸１０２および回動軸１０２の周辺の構造が示されている。図７においては、バリア羽根１０１と回動軸１０２との位置関係を分解した斜視状態が示されている。
【００４３】
図６および図７において、回動軸１０２の外周面には、光軸方向を軸心方向とするネジ山（雄ねじ）が設けられている。バリア羽根１０１は、回動軸１０２が挿入される孔６０１を備えている。孔６０１の内周面には、回動軸１０２に設けられたネジ山と同ピッチのネジ山（雌ねじ）が設けられている。バリア羽根１０１は、ネジ山（雄ねじ）にネジ山（雌ねじ）を螺合させることによって回動軸１０２に連結され、回動軸１０２を中心として回転可能とされている。
【００４４】
バリア羽根１０１が回動軸１０２を中心として回転する際には、ネジ山（雄ねじ）に対するネジ山（雌ねじ）の螺合位置が変化する。すなわち、バリア羽根１０１が回動軸１０２を中心として回転することによって、バリア羽根１０１の光軸方向における位置が変化する。
【００４５】
ネジ山（雄ねじ）およびネジ山（雌ねじ）は、閉じ位置側から開き位置側に向かって回転するバリア羽根１０１が対物側から接眼側に変位し、開き位置側から閉じ位置側に向かって回転するバリア羽根１０１が接眼側から対物側に変位するような向きに設けられている。
【００４６】
バリア羽根１０１は、閉じ位置にある場合に、光軸方向におけるレンズよりも対物側に位置付けられる。また、バリア羽根１０１は、開き位置にある場合に、光軸方向におけるレンズの対物側の端面位置あるいは当該端面位置よりも接眼側に位置付けられる。すなわち、バリア羽根１０１は、閉じ状態にある場合と開き状態にある場合とで光軸方向におけるレンズに対する相対的な位置が変化する。
【００４７】
このように、バリア羽根１０１は、ネジ山（雄ねじ）およびネジ山（雌ねじ）の螺合により回動軸１０２に連結され、回動にともなって、閉じ位置では光軸方向における対物側から対物レンズ４０２を覆い、開き位置では光軸方向における対物レンズ４０２の対物側の端面よりも接眼側に退避するようにネジ山（雄ねじ）およびネジ山（雌ねじ）の螺合状態を変化させる。また、バリア羽根１０１は、開き位置では光軸方向において前板１０６よりも接眼側に退避する。
【００４８】
つぎに、レンズ装置の光軸方向における寸法について説明する。図８は、レンズ装置の光軸方向における各部の位置関係を概略的に示す説明図である。図８において、符号８０１は従来のバリア機構８００が備えたバリア羽根を示している。従来のバリア機構８００においては、バリア羽根８０１が光軸方向における定位置で回転する。このため、光軸方向における前板１０６の位置は、バリア羽根１０１が閉じ位置にあるか開き位置にあるかにかかわらず、光軸方向におけるバリア羽根１０１の回転位置よりも対物側とされている。
【００４９】
これに対して、この発明の実施の形態のレンズ装置においては、光軸方向におけるバリア羽根１０１の位置が、バリア羽根１０１が閉じ位置にあるか開き位置にあるかによって変化し、開き位置にある場合には光軸方向において前板１０６に重複する位置に位置付けられ、閉じ位置にある場合には光軸方向においてレンズに重複する位置に位置付けられる。
【００５０】
すなわち、この発明の実施の形態のレンズ装置においては、光軸方向において閉じ位置にあるバリア羽根１０１に重複する位置に前板１０６を設け、前板１０６によって円筒形状部材４０１からのバリア羽根１０１の脱落を防止しているため、従来のレンズ装置と比較して閉じ位置にあるバリア羽根１０１の位置が光軸方向において接眼（像面）側に移動することによって光軸方向における寸法を、前板１０６の移動した距離Ｄだけ短くすることができる。
【００５１】
これによって、バリア機構８００を備えた従来のレンズ装置と比較して、光軸方向における寸法を短くすることができる。また、これによって、バリア機構８００を備えた従来のレンズ装置と比較して、バリア羽根１０１が開き位置にあるときに対物レンズ４０２に対する外光の入射角を広くすることができ、レンズ装置の光路長を長くすることなくレンズ装置の広角化を図ることができる。
【００５２】
上述したように、この発明にかかる実施の形態のバリア機構１００によれば、対物側に配置されたレンズの一例としての対物レンズ４０２の光路から退避した位置に設けられた回動軸１０２を中心として光路を横切る方向に回動可能に設けられ、回動することによって開き位置または閉じ位置に変位するバリア羽根１０１を備えたバリア機構１００であって、回動軸１０２に設けられて外周面に光軸を軸心とする螺旋をなすネジ山と、バリア羽根１０１に設けられて内周面にネジ山と螺合するネジ山を備えた孔６０１と、を備え、バリア羽根１０１は、ネジ山どうしの螺合により回動軸１０２に連結され、回動にともなって、閉じ位置では光軸方向における対物側から対物レンズ４０２を覆い、開き位置では光軸方向における対物レンズ４０２の対物側の端面よりも接眼側に退避するようにネジ山どうしの螺合状態を変化させることを特徴とするため、レンズに対する外光の入射角を広くすることができる。これによって、対物レンズ４０２の広角化を図ることができる。
【００５３】
また、この発明にかかる実施の形態のバリア機構１００によれば、バリア羽根１０１が、開き位置では光軸方向における対物レンズ４０２の対物側の端面よりも像面側に退避するようにしたことを特徴とするため、レンズに対する外光の入射角を確実に広くすることができる。これによって、大型化することなくレンズ装置の広角化を図る、すなわち、広角化を図ったレンズ装置の小型化を図ることができる。
【００５４】
また、この発明にかかる実施の形態のバリア機構１００によれば、光路を開放する開口１０３を有する環形状からなり、光軸方向における対物側から回動軸１０２に対向する前板１０６を備え、バリア羽根１０１は、開き位置では光軸方向において前板１０６よりも接眼側に退避することを特徴とするため、バリア羽根１０１の脱離を防止するとともに、光軸方向における前板１０６の位置を、閉じ位置でのバリア羽根１０１の位置と同等とすることができる。これによって、バリア機構１００を搭載するレンズ装置の光軸方向における寸法を小さくし、レンズ装置およびレンズ装置を搭載する撮像装置の小型化を図ることができる。
【００５５】
なお、バリア羽根１０１は、ネジ山どうしの螺合により回動軸１０２に連結されているものに限らない。図示を省略するが、たとえば、対物レンズ４０２の光路から退避した位置に設けられた回動軸１０２を中心として光路を横切る方向に回動可能に設けられ、回動することによって開き位置または閉じ位置に変位するバリア羽根１０１を備えたバリア機構であって、バリア羽根に設けられて回動軸に係合する基部を備え、バリア羽根は、基部が回動軸に連結され、回動にともなって、光軸方向においてレンズに対して相対的に変位するように基部を移動させることを特徴とする。この発明によれば、光路長を変更することなくレンズに対する外光の入射角を広くすることができる。
【００５６】
また、この発明にかかるバリア機構は、上記の発明において、バリア羽根が、閉じる位置では光軸方向における対物側から対物レンズを覆い、前記開く位置では前記光軸方向における前記レンズの前記対物側の端面よりも像面側に退避するように構成したことを特徴とする。この発明によれば、レンズに対する外光の入射角を広くすることができる。
【００５７】
また、この発明にかかる実施の形態のバリア機構１００によれば、光軸方向に移動可能に設けられた対物レンズ４０２を備え、対物レンズ４０２を移動することによって光路長の変更が可能なレンズ装置であって、対物レンズ４０２の光路から退避した位置に設けられた回動軸１０２を中心として光路を横切る方向に回動可能に設けられ、回動することによって開き位置または閉じ位置に変位するバリア羽根１０１と、光路から退避した位置でバリア羽根１０１に連結され、対物レンズ４０２の移動にともなって光軸を中心として回転することによってバリア羽根１０１を回動させる回転環３０２と、回動軸１０２に設けられて外周面に光軸を軸心とする螺旋をなすネジ山と、バリア羽根１０１に設けられて内周面にネジ山と螺合するネジ山を備えた孔６０１と、を備え、バリア羽根１０１は、ネジ山どうしの螺合により回動軸１０２に連結され、回動にともなって、閉じ位置では光軸方向における対物側から対物レンズ４０２を覆い、開き位置では光軸方向におけるよりも接眼側に退避するようにネジ山どうしの螺合状態を変化させることを特徴とするため、バリア羽根１０１が開き位置にあるときに対物レンズ４０２に対する外光の入射角を広くすることができ、レンズ装置の光路長を長くすることなくレンズ装置の広角化を図ることができる。これによって、大型化することなくレンズ装置の広角化を図る、すなわち、広角化を図ったレンズ装置の小型化を図ることができる。
【００５８】
また、この発明にかかる実施の形態の撮像装置は、撮像素子と、撮像素子に外光を入射させる光路を形成するレンズ装置と、を備えたことを特徴とするため、大型化することなく広角化を図ったレンズ装置を備えた撮像装置を提供することができる。
【００５９】
以上説明したように、この実施の形態によれば、大型化することなくレンズ装置における広角化を図ることができる。
【産業上の利用可能性】
【００６０】
以上のように、本発明にかかるバリア機構、レンズ装置および撮像装置は、非撮像時におけるカメラの対物レンズを覆うことで、外部からの衝撃や汚損などから対物レンズを保護する際に有用であり、特に、コンパクトカメラなどの小型の撮像装置に搭載するバリア機構、レンズ装置およびこれらのバリア機構あるいはレンズ装置を搭載した撮像装置に適している。
【図面の簡単な説明】
【００６１】
【図１】この発明にかかる実施の形態のバリア機構を示す説明図（その１）である。
【図２】この発明にかかる実施の形態のバリア機構を示す説明図（その２）である。
【図３】この発明にかかる実施の形態のバリア機構を示す説明図（その３）である。
【図４】この発明にかかる実施の形態のバリア機構を示す説明図（その４）である。
【図５】この発明にかかる実施の形態のバリア機構を示す説明図（その５）である。
【図６】バリア羽根と回動軸との連結構造を示す説明図（その１）である。
【図７】バリア羽根と回動軸との連結構造を示す説明図（その２）である。
【図８】レンズ装置の光軸方向における各部の位置関係を概略的に示す説明図である。
【符号の説明】
【００６２】
１００  バリア機構
１０１  バリア羽根
１０２  回動軸
１０３  ベース板
１０４  開口
１０６  前板
３０１  駆動レバー
３０２  回転環
３０４  回転部材
４０２  対物レンズ
【図１】
0005145096.tif 000002
【図２】
0005145096.tif 000003
【図３】
0005145096.tif 000004
【図４】
0005145096.tif 000005
【図５】
0005145096.tif 000006
【図６】
0005145096.tif 000007
【図７】
0005145096.tif 000008
【図８】
0005145096.tif 000009